(57)【要約】【課題】圧入によってもシャーシが変形を起こしにくい防振部材および光ディスク装置を提供することを目的とする。【解決手段】外縁部の第１の横断面形状領域１ａは、横断面中心軸２から横断面形状の外郭線１ｆの１点までの距離と横断面中心軸２から外郭線１ｆの他の１点までの距離とが相違し、横断面中心軸２から横断面形状の外郭線１ｆの１点までの距離が外縁から離れるとともに大きくなり極大値を持ち、横断面中心軸２から横断面形状の内郭線１ｇの１点までの距離と横断面中心軸２から内郭線１ｇの他の１点までの距離とが等しい防振部材１とした。【選択図】図１
2006292032.tif 000002
【特許請求の範囲】
【請求項１】
１本の横断面中心軸と少なくとも３つの横断面形状領域を有する防振部材であって、
外縁部の第１の横断面形状領域は、前記横断面中心軸から横断面形状の外郭線の１点までの距離と前記横断面中心軸から前記外郭線の他の１点までの距離とが相違し、前記横断面中心軸から横断面形状の外郭線の１点までの距離が外縁から離れるとともに大きくなって極大値を持ち、前記横断面中心軸から前記横断面形状の内郭線の１点までの距離と前記横断面中心軸から前記内郭線の他の１点までの距離とが等しく、
前記第１の横断面形状領域の内側に隣接する第２の横断面形状領域は、前記横断面中心軸から横断面形状の外郭線の１点までの距離と前記横断面中心軸から前記外郭線の他の１点までの距離が等しく、前記第１の横断面形状領域に隣接する横断面形状の前記横断面中心軸から前記横断面形状の外郭線の１点までの距離が前記第２の横断面形状領域に隣接する前記第１の横断面形状領域の横断面形状の前記横断面中心軸から前記横断面形状の外郭線の１点までの距離以下であり、前記横断面中心軸から前記横断面形状の内郭線の１点までの距離と前記横断面中心軸から前記内郭線の他の１点までの距離とが等しく、
前記第１の横断面形状領域と反対側の外縁部の第３の横断面形状領域は、外縁から最も遠い横断面形状の前記横断面中心軸から前記断面形状の外郭線の１点までの距離が前記第３の横断面形状領域の内側に隣接する横断面形状領域の横断面形状の前記横断面中心軸から前記横断面形状の外郭線の１点までの距離よりも大きく、前記横断面中心軸から前記横断面形状の内郭線の１点までの距離と、前記横断面中心軸から前記内郭線の他の１点までの距離とが等しいことを特徴とする防振部材。
【請求項２】
弾性を有する材料で形成されることを特徴とする請求項１に記載の防振部材。
【請求項３】
前記弾性を有する材料はゴムであることを特徴とする請求項２に記載の防振部材。
【請求項４】
前記第３の横断面形状領域の内側に隣接する第４の横断面形状領域は、前記横断面中心軸から横断面形状の外郭線の１点までの距離と前記横断面中心軸から前記外郭線の他の１点までの距離が等しく、前記第３の横断面形状領域に隣接する横断面形状の前記横断面中心軸から前記横断面形状の外郭線の１点までの距離が前記第４の横断面形状領域に隣接する前記第３の横断面形状領域の横断面形状の前記横断面中心軸から前記横断面形状の外郭線の１点までの距離より小さく、前記横断面中心軸から前記横断面形状の内郭線の１点までの距離と前記横断面中心軸から前記内郭線の他の１点までの距離とが等しく、
前記第２の横断面形状領域の内側および前記第４の横断面形状領域の内側に隣接する第５の横断面形状領域は、前記第２の横断面形状領域に隣接する横断面形状の前記横断面中心軸から前記横断面形状の外郭線の１点までの距離が前記第５の横断面形状領域に隣接する前記第２の横断面形状領域の横断面形状の前記横断面中心軸から前記横断面形状の外郭線の１点までの距離より大きく、前記第４の横断面形状領域に隣接する横断面形状の前記横断面中心軸から前記横断面形状の外郭線の１点までの距離が前記第５の横断面形状領域に隣接する前記第４の横断面形状領域の横断面形状の前記横断面中心軸から前記横断面形状の外郭線の１点までの距離より大きく、前記横断面中心軸から前記横断面形状の内郭線の１点までの距離と前記横断面中心軸から前記内郭線の他の１点までの距離とが等しいことを特徴とする請求項１に記載の防振部材。
【請求項５】
前記第１の横断面形状領域の横断面形状は線対称軸をｎ本（ｎは１〜６の整数）持つことを特徴とする請求項１に記載の防振部材。
【請求項６】
前記第１の横断面形状領域の横断面形状の外郭線は直線と楕円弧で構成されたことを特徴とする請求項１に記載の防振部材。
【請求項７】
前記楕円弧は円弧であり、前記円弧の半径は前記横断面中心軸から前記横断面形状の外郭線の１点までの最大の距離以下であることを特徴とする請求項６に記載の防振部材。
【請求項８】
前記第１の横断面形状領域の前記横断面中心軸から横断面形状の外郭線の１点までの距離が前記外縁から離れるとともに大きくなる割合は一定であることを特徴とする請求項１に記載の防振部材。
【請求項９】
前記第１の横断面形状領域の前記横断面中心軸から横断面形状の外郭線の１点までの距離が極大値をもつ断面形状と前記第２の横断面形状領域の間の前記横断面中心軸から横断面形状の外郭線の１点までの距離は前記外縁から離れるとともに小さくなることを特徴とする請求項１に記載の防振部材。
【請求項１０】
前記横断面中心軸から横断面形状の外郭線の１点までの距離が前記外縁から離れるとともに小さくなる割合は前記外縁から離れるとともに大きくなることを特徴とする請求項９に記載の防振部材。
【請求項１１】
前記第１の横断面形状領域は、貫通孔を有する部材に圧入され、前記第１の横断面形状領域の前記横断面中心軸から外縁の横断面形状の外郭線の１点までの距離は、前記貫通孔の半径よりも小さいことを特徴とする請求項１に記載の防振部材。
【請求項１２】
前記第１の横断面形状領域は、貫通孔を有する部材に圧入され、前記第１の横断面形状領域の前記横断面中心軸から横断面形状の外郭線の１点までの距離が極大となる横断面形状における前記横断面中心軸から外郭線の１点までの距離は前記貫通孔の半径より大きいことを特徴とする請求項１に記載の防振部材。
【請求項１３】
前記第２の横断面形状領域は、貫通孔を有する部材と嵌合し、前記第２の横断面形状領域における前記横断面中心軸から横断面形状の外郭線の１点までの距離が前記貫通孔の半径と略等しいことを特徴とする請求項１に記載の防振部材。
【請求項１４】
光ディスクを回転させる駆動力を発生するスピンドルモータと、光ディスクに対して情報の記録または再生の少なくとも一方を行う光ピックアップと、前記光ピックアップを移動させる駆動力を発生するフィードモータとを備えた光ピックアップモジュールと、
貫通孔を有するシャーシと、
前記貫通孔に前記第１の横断面形状領域を圧入し、前記第２の横断面形状領域で前記シャーシを嵌合し、前記第３の横断面形状領域に隣接する横断面形状領域で前記光ピックアップモジュールを嵌合する請求項１に記載の防振部材と、
を備えたことを特徴とする光ディスク装置。
【請求項１５】
光ディスクを回転させる駆動力を発生するスピンドルモータと、光ディスクに対して情報の記録または再生の少なくとも一方を行う光ピックアップと、前記光ピックアップを移動させる駆動力を発生するフィードモータとを備えた光ピックアップモジュールと、
貫通孔を有するシャーシと、
前記貫通孔に前記第１の横断面形状領域を圧入し、前記第２の横断面形状領域で前記シャーシを嵌合し、前記第４の横断面形状領域で前記光ピックアップモジュールを嵌合する請求項４に記載の防振部材と、
を備えたことを特徴とする光ディスク装置。
【発明の詳細な説明】
【技術分野】
【０００１】
本発明はパーソナルコンピュータ（以下、ＰＣという。）、特にノートブック型ＰＣに好んで用いられる防振部材および光ディスク装置に関するものである。
【背景技術】
【０００２】
従来、ノートブック型ＰＣは持ち運んで使用することを前提に薄型化、軽量化が進められてきた。ノートブック型ＰＣは例えば持ち運んで使ったり、手に持って使ったりといったその使用形態のために内蔵する光ディスク装置に振動や衝撃が与えられやすい。光ディスク装置に振動や衝撃が加わるとフォーカスサーボやトラッキングサーボが外れたりして、光ディスクに対する情報の記録や再生に失敗することがあり、最悪の場合、光ディスクの情報を破壊してしまうこともあり得る。そのため、光ディスクに対して情報の記録または再生の少なくとも一方を実際に行う光ピックアップに外部からの振動や衝撃を低減するための対策を行っている。
【０００３】
図８は従来の光ディスク装置の分解構成図である。ベース１０２は光ピックアップモジュール１０１の骨組みになるもので、各部品、部材が直接、間接に取り付けられる。スピンドルモータ１０３は光ディスクを載置し、回転させるための駆動力を発生し、ベース１０２に固定される。光ピックアップ１０４は光ディスクに対して情報の記録または再生の少なくとも一方を行い、図示しない２本のガイドシャフトに移動自在に保持される。前記図示しない２本のガイドシャフトは図示しない支持部材を介してベース１０２に支持される。フィードモータ１０５は光ピックアップ１０４を移動するための駆動力を発生し、ベース１０２に固定される。フィードモータ１０５にはステッピングモータやＤＣモータが用いられる。フィードモータ１０５には表面にらせん状に溝が形成された図示しないスクリューシャフトが直接または数段のギアを介して接続される。また光ピックアップ１０４には図示しないラックが固定されている。このラックの歯がスクリューシャフトの溝と噛み合うことで、フィードモータ１０５の回転駆動力が直線駆動力に変換される。このように各部品、部材が取り付けられたベース１０２全体を覆うように保護カバー１０６が取り付けられる。保護カバー１０６は開口を有し、スピンドルモータ１０３、光ピックアップ１０４の一部が露出され、フィードモータ１０５が露出される場合もある。
【０００４】
トレイ１０８は開口を有し、光ピックアップモジュール１０１を露出させ、他を覆うカバーである。トレイ１０８は樹脂で形成される。シャーシ１０９は光ピックアップモジュール１０１の下面を覆うカバーである。シャーシ１０９は薄い金属板で形成される。防振部材１０７は環状であり、上下面に小突起１０７が形成され、側面には周溝１０７ｂが形成されている。防振部材１０７には天然ゴム、ブチルゴム、シリコンゴムなどが用いられる。
【０００５】
光ピックアップモジュール１０１のベース１０２の側面側には平面視略Ｃ状の取付部１０２ａが設けられている。取付部１０２ａには防振部材１０７の周溝１０７ｂが嵌合して取り付けられる。トレイ１０８の裏面にはボス１０８ａが形成されており、防振部材１０７の内径部を嵌合させる。さらにシャーシ１０９の貫通孔１０９ａを通してネジ１１０がボス１０８ａに螺合される。このような構成とすることにより、光ピックアップモジュール１０１はトレイ１０８およびシャーシ１０９に対し防振部材１０７を介して固定される。外部から加えられた振動や衝撃は防振部材１０７を介することで減衰されて光ピックアップモジュール１０１に伝えられる。（特許文献１）参照のこと。
【特許文献１】特開２００２−１２４０７１号公報
【発明の開示】
【発明が解決しようとする課題】
【０００６】
ノートブック型ＰＣの薄型化、軽量化に伴い、ノートブック型ＰＣに内蔵される光ディスク装置も薄型化、軽量化が推し進められてきている。そうした動きの中でトレイを取り払い、その役割をノートブック型ＰＣ側に負わせる形態の光ディスク装置も提案されている。その場合、トレイに対して防振部材、シャーシ、光ピックアップモジュールを取り付けていた従来の構成から変更しなければならない。
【０００７】
そこで防振部材の周溝を増やし従来の周溝に光ピックアップモジュールの取付部を従来通り嵌合させ、シャーシの貫通孔に防振部材を圧入して追加した周溝と貫通孔とが嵌合する構成とした。防振部材の圧入する側の端部は略円錐台形状として圧入しやすくした。しかし、作業状況により圧入がうまく行かず、シャーシが変形する不具合が発生した。
【０００８】
本発明は上記従来の問題点を解決するもので、圧入によってもシャーシが変形を起こしにくい防振部材を提供することを目的とする。
【課題を解決するための手段】
【０００９】
上記目的を達成するために本発明は、１本の横断面中心軸と少なくとも３つの横断面形状領域を有する防振部材であって、外縁部の第１の横断面形状領域は、前記横断面中心軸から横断面形状の外郭線の１点までの距離と前記横断面中心軸から前記外郭線の他の１点までの距離とが相違し、前記横断面中心軸から横断面形状の外郭線の１点までの距離が外縁から離れるとともに大きくなって極大値を持ち、前記横断面中心軸から前記横断面形状の内郭線の１点までの距離と前記横断面中心軸から前記内郭線の他の１点までの距離とが等しく、前記第１の横断面形状領域の内側に隣接する第２の横断面形状領域は、前記横断面中心軸から横断面形状の外郭線の１点までの距離と前記横断面中心軸から前記外郭線の他の１点までの距離が等しく、前記第１の横断面形状領域に隣接する横断面形状の前記横断面中心軸から前記横断面形状の外郭線の１点までの距離が前記第２の横断面形状領域に隣接する前記第１の横断面形状領域の横断面形状の前記横断面中心軸から前記横断面形状の外郭線の１点までの距離以下であり、前記横断面中心軸から前記横断面形状の内郭線の１点までの距離と前記横断面中心軸から前記内郭線の他の１点までの距離とが等しく、前記第１の横断面形状領域と反対側の外縁部の第３の横断面形状領域は、外縁から最も遠い横断面形状の前記横断面中心軸から前記断面形状の外郭線の１点までの距離が前記第３の横断面形状領域の内側に隣接する横断面形状領域の横断面形状の前記横断面中心軸から前記横断面形状の外郭線の１点までの距離よりも大きく、前記横断面中心軸から前記横断面形状の内郭線の１点までの距離と、前記横断面中心軸から前記内郭線の他の１点までの距離とが等しい、防振部材とした。
【００１０】
シャーシの貫通孔は一般的に円形である。本発明の防振部材の第１の横断面形状領域がシャーシの貫通孔に圧入される箇所である。第１の横断面形状領域は、横断面中心軸から横断面形状の外郭線の１点までの距離と前記横断面中心軸から前記外郭線の他の１点までの距離とが相違する。すなわち横断面形状の外郭線は横断面中心軸を中心とする円ではないということである。そのため、横断面中心軸からの距離が小さい箇所からシャーシの貫通孔を通過しようとする。そのため、シャーシの貫通孔周辺にはシャーシを変形させようとする大きな力が働きにくく、シャーシは変形しにくい。
【発明の効果】
【００１１】
本発明の防振部材は圧入した時にシャーシの変形がしにくい。そのため防振部材の周溝を増やし従来の周溝に光ピックアップモジュールの取付部を従来通り嵌合させ、シャーシの貫通孔に防振部材を圧入して追加した周溝と貫通孔とが嵌合する構成とすることができる。したがってトレイを取り払った光ディスク装置の構成とすることができるため光ディスク装置を薄型化、軽量化することができる。
【発明を実施するための最良の形態】
【００１２】
本発明の請求項１の発明は、１本の横断面中心軸と少なくとも３つの横断面形状領域を有する防振部材であって、外縁部の第１の横断面形状領域は、横断面中心軸から横断面形状の外郭線の１点までの距離と横断面中心軸から外郭線の他の１点までの距離とが相違し、横断面中心軸から横断面形状の外郭線の１点までの距離が外縁から離れるとともに大きくなって極大値を持ち、横断面中心軸から横断面形状の内郭線の１点までの距離と横断面中心軸から内郭線の他の１点までの距離とが等しく、第１の横断面形状領域の内側に隣接する第２の横断面形状領域は、横断面中心軸から横断面形状の外郭線の１点までの距離と横断面中心軸から外郭線の他の１点までの距離が等しく、第１の横断面形状領域に隣接する横断面形状の横断面中心軸から横断面形状の外郭線の１点までの距離が第２の横断面形状領域に隣接する第１の横断面形状領域の横断面形状の横断面中心軸から横断面形状の外郭線の１点までの距離以下であり、横断面中心軸から横断面形状の内郭線の１点までの距離と横断面中心軸から内郭線の他の１点までの距離とが等しく、第１の横断面形状領域と反対側の外縁部の第３の横断面形状領域は、外縁から最も遠い横断面形状の横断面中心軸から断面形状の外郭線の１点までの距離が第３の横断面形状領域の内側に隣接する横断面形状領域の横断面形状の横断面中心軸から横断面形状の外郭線の１点までの距離よりも大きく、横断面中心軸から横断面形状の内郭線の１点までの距離と、横断面中心軸から内郭線の他の１点までの距離とが等しい、防振部材である。
【００１３】
シャーシの貫通孔は一般的に円形である。本発明の防振部材の第１の横断面形状領域がシャーシの貫通孔に圧入される箇所である。上記第１の横断面形状領域から貫通孔に防振部材を圧入しようとした場合を考える。第１の横断面形状領域の横断面中心軸から横断面形状の外郭線の１点までの距離と横断面中心軸から外郭線の他の１点までの距離とが等しい場合、すなわち横断面形状の外郭線が横断面中心軸を中心とする円形の場合圧入する力が外郭線上のどの点にも均一にかかる。逆に横断面中心軸から外郭線までの距離が極大値になる位置を通過するまで貫通孔の周辺を変形させようとする大きな力が働きつづける。そのためシャーシは変形してしまう。一方、本発明の請求項１の発明において第１の横断面形状領域は、横断面中心軸から横断面形状の外郭線の１点までの距離と横断面中心軸から外郭線の他の１点までの距離とが相違する。すなわち横断面形状の外郭線は横断面中心軸を中心とする円ではない。そのため横断面中心軸からの距離が小さい箇所からシャーシの貫通孔を通過しようとする。そのため、シャーシの貫通孔周辺にはシャーシを変形させようとする大きな力が働きにくく、シャーシは変形しにくいので圧入工程を実施することができる。したがってトレイを取り払った光ディスク装置の構成とすることができ、光ディスク装置を薄型化、軽量化することができる。
【００１４】
請求項２の発明は、請求項１の発明において弾性を有する材料で形成される防振部材である。
【００１５】
弾性を有するためにシャーシの貫通孔に圧入する際、防振部材が変形し、圧入できる。また弾性が外部からの振動、衝撃を効果的に減衰させる。
【００１６】
請求項３の発明は、請求項２の発明において弾性を有する材料はゴムである防振部材である。
【００１７】
ゴムは適切な硬さを持ち合わせた弾性を有する材料である。そのため光ピックアップモジュールをしっかりと支持するとともに外部からの振動、衝撃を効果的に減衰させる。
【００１８】
請求項４の発明は、請求項１の発明において第３の横断面形状領域の内側に隣接する第４の横断面形状領域は、横断面中心軸から横断面形状の外郭線の１点までの距離と横断面中心軸から外郭線の他の１点までの距離が等しく、第３の横断面形状領域に隣接する横断面形状の横断面中心軸から横断面形状の外郭線の１点までの距離が第４の横断面形状領域に隣接する第３の横断面形状領域の横断面形状の横断面中心軸から横断面形状の外郭線の１点までの距離より小さく、横断面中心軸から横断面形状の内郭線の１点までの距離と横断面中心軸から内郭線の他の１点までの距離とが等しく、第２の横断面形状領域の内側および第４の横断面形状領域の内側に隣接する第５の横断面形状領域は、第２の横断面形状領域に隣接する横断面形状の横断面中心軸から横断面形状の外郭線の１点までの距離が第５の横断面形状領域に隣接する第２の横断面形状領域の横断面形状の横断面中心軸から横断面形状の外郭線の１点までの距離より大きく、第４の横断面形状領域に隣接する横断面形状の横断面中心軸から横断面形状の外郭線の１点までの距離が第５の横断面形状領域に隣接する第４の横断面形状領域の横断面形状の横断面中心軸から横断面形状の外郭線の１点までの距離より大きく、横断面中心軸から横断面形状の内郭線の１点までの距離と横断面中心軸から内郭線の他の１点までの距離とが等しい、防振部材である。
【００１９】
第２の横断面形状領域は第１の横断面形状領域と第５の横断面形状領域に挟まれた周溝、第４の横断面形状領域は第３の横断面形状領域と第５の横断面形状領域に挟まれた周溝である。防振部材は第４の横断面形状領域で光ピックアップモジュールと嵌合し、第１の横断面形状領域でシャーシの貫通孔に圧入し、第２の横断面形状領域で貫通孔と嵌合する。第２の横断面形状領域および第４の横断面形状領域はそれぞれ第１の横断面形状領域と第５の横断面形状領域および第３の横断面形状領域と第５の横断面形状領域により他と分離される。そのためシャーシや光ピックアップモジュールがズレ動いて相互にまたは他の部材と接触してしまうことはない。
【００２０】
請求項５の発明は、請求項１の発明において第１の横断面形状領域の横断面形状は線対称軸をｎ本（ｎは１〜６の整数）持つ防振部材である。
【００２１】
対称軸を持つ形状は一般的に簡単な形状をしている。したがって、設計、製造しやすいために製造コストを低く抑えることができる。また、ｎが少ないということは横断面形状の外郭線が円とは大きくずれているということである。そのため横断面中心軸から横断面形状の外郭線の１点までの距離と横断面中心軸から外郭線の他の１点までの距離とを相違させた効果をより大きく出すことができる。
【００２２】
請求項６の発明は、請求項１の発明において第１の横断面形状領域の横断面形状の外郭線は直線と楕円弧で構成された防振部材である。
【００２３】
直線と楕円弧で構成されるということは、単純な形状とすることができるということであり、製造コストを低く抑えることができる。
【００２４】
請求項７の発明は、請求項６の発明において楕円弧は円弧であり、円弧の半径は横断面中心軸から横断面形状の外郭線の１点までの最大の距離以下である防振部材である。
【００２５】
円弧の半径を横断面中心軸から横断面形状の外郭線の１点までの最大の距離より小さくすることで円弧と直線を滑らかにつなぐことができる。また、横断面中心軸から横断面形状の外郭線の１点までの最大の距離と等しければシャーシと嵌合した際に防振部材がシャーシを押さえる効果が高まる。
【００２６】
請求項８の発明は、請求項１の発明において第１の横断面形状領域の横断面中心軸から横断面形状の外郭線の１点までの距離が外縁から離れるとともに大きくなる割合は一定である防振部材である。
【００２７】
圧入する際に貫通孔が滑らかに第１の横断面形状領域を通していきやすくなる。そのためシャーシが防振部材にひっかかって防振部材を破壊してしまうことが防げる。
【００２８】
請求項９の発明は、請求項１の発明において第１の横断面形状領域の横断面中心軸から横断面形状の外郭線の１点までの距離が極大値をもつ断面形状と第２の横断面形状領域の間の横断面中心軸から横断面形状の外郭線の１点までの距離は外縁から離れるとともに小さくなる防振部材である。
【００２９】
圧入の際にシャーシの貫通孔が第１の横断面形状領域の横断面中心軸から横断面形状の外郭線の１点までの距離が極大値をもつ断面形状を過ぎてからはシャーシにかかるシャーシを変形させようとする力が低減するので、シャーシが変形しにくくなる。また、極大値を持つ断面形状の近傍は角張らないため防振部材が破壊されにくい。
【００３０】
請求項１０の発明は、請求項９の発明において横断面中心軸から横断面形状の外郭線の１点までの距離が外縁から離れるとともに小さくなる割合は外縁から離れるとともに大きくなる防振部材である。
【００３１】
第２の横断面形状領域の近傍では横断面中心軸から横断面形状の外郭線の１点までの距離が急激に小さくなるということである。そのため第９の発明の効果に加えて、第２の横断面形状領域でシャーシと嵌合した際、この第２の横断面形状領域の近傍でシャーシが不要に動くのを防ぐことができる。
【００３２】
請求項１１の発明は、請求項１の発明において第１の横断面形状領域は、貫通孔を有する部材に圧入され、第１の横断面形状領域の横断面中心軸から外縁の横断面形状の外郭線の１点までの距離は、貫通孔の半径よりも小さい防振部材である。
【００３３】
圧入の際、シャーシの貫通孔が最初に第１の横断面形状領域と接触するのは第１の横断面形状領域の最外縁ではなく、より内側にすることができる。そのため、第１の横断面形状領域の最外縁が貫通孔に引っかかってしまうことがないので、スムーズに圧入することができ、トラブルを未然に防ぐことができる。
【００３４】
請求項１２の発明は、請求項１の発明において第１の横断面形状領域は、貫通孔を有する部材に圧入され、第１の横断面形状領域の横断面中心軸から横断面形状の外郭線の１点までの距離が極大となる横断面形状における横断面中心軸から外郭線の１点までの距離は貫通孔の半径より大きい防振部材である。
【００３５】
第２の横断面形状領域でシャーシと嵌合した際、第１の横断面形状領域の全周に渡ってシャーシが抜け出てしまわないように確実に押さえることができるので、嵌合を保持する確実性が大きくなる。
【００３６】
請求項１３の発明は、請求項１の発明において第２の横断面形状領域は、貫通孔を有する部材と嵌合し、第２の横断面形状領域における横断面中心軸から横断面形状の外郭線の１点までの距離が貫通孔の半径と略等しい防振部材である。
【００３７】
シャーシと嵌合した際、貫通孔と防振部材との間には隙間が生じないので、がたつきなく嵌合できる。
【００３８】
請求項１４の発明は、光ディスクを回転させる駆動力を発生するスピンドルモータと、光ディスクに対して情報の記録または再生の少なくとも一方を行う光ピックアップと、光ピックアップを移動させる駆動力を発生するフィードモータとを備えた光ピックアップモジュールと、貫通孔を有するシャーシと、貫通孔に第１の横断面形状領域を圧入し、第２の横断面形状領域でシャーシを嵌合し、第３の横断面形状領域に隣接する横断面形状領域で光ピックアップモジュールを嵌合する請求項１の発明の防振部材と、を備えた光ディスク装置である。
【００３９】
圧入した際にシャーシが変形を起こしにくい。そのためトレイを取り払った光ディスク装置の構成とすることができ、薄型化、軽量化に対応することができる。
【００４０】
請求項１５の発明は、光ディスクを回転させる駆動力を発生するスピンドルモータと、光ディスクに対して情報の記録または再生の少なくとも一方を行う光ピックアップと、光ピックアップを移動させる駆動力を発生するフィードモータとを備えた光ピックアップモジュールと、貫通孔を有するシャーシと、貫通孔に第１の横断面形状領域を圧入し、第２の横断面形状領域でシャーシを嵌合し、第４の横断面形状領域で光ピックアップモジュールを嵌合する請求項４の発明の防振部材と、を備えた光ディスク装置である。
【００４１】
圧入した際にシャーシが変形を起こしにくい。そのためトレイを取り払った光ディスク装置の構成とすることができ、薄型化、軽量化に対応することができる。
【００４２】
（実施の形態１）
実施の形態１について図を参照しながら説明する。図１は実施の形態１の防振部材の形状の例を示す図であり、（ａ）は上面図、（ｂ）は側面図、（ｃ）は下面図、（ｄ）は正面図、（ｅ）はＡＡ断面図、（ｆ）はＢＢ断面図、（ｇ）はＣＣ断面図である。防振部材１は横断面中心軸２を中心とした貫通孔１ｈを有した環形状であり、外縁部にあり略錐台形状である第１の横断面形状領域１ａ、略円筒形状であり第１の横断面形状領域の内側にある第２の横断面形状領域１ｂ、略円筒形状であり第１の横断面形状領域とは反対側の外縁部にある第３の横断面形状領域１ｃ、略円筒形状であり第３の横断面形状領域の内側にある第４の横断面形状領域１ｄ、略円筒形状であり第２の横断面形状領域と第４の横断面形状領域の間にある第５の横断面形状領域１ｅからなる。
【００４３】
第４の横断面形状領域１ｄは後述するように光ピックアップモジュール３の取付部４ａを嵌合する。第３の横断面形状領域１ｃと第５の横断面形状領域１ｅは取付部４ａが第４の横断面形状領域１ｄから外れないように上下から挟み込むとともに、光ピックアップモジュール３が外部やシャーシ９と直接接触しないように保持する。そのため第４の横断面形状領域１ｄは第３の横断面形状領域１ｃや第５の横断面形状領域１ｅから１段下がって周溝としている。
【００４４】
第２の横断面形状領域１ｂは後述するようにシャーシ９の貫通孔９ａを嵌合する。第１の横断面形状領域１ａと第５の横断面形状領域１ｅはシャーシ９が第２の横断面形状領域１ｂから外れないように上下から挟み込むとともにシャーシ９が光ピックアップモジュール３と直接接触しないように保持する。そのため第２の横断面領域１ｂは第１の横断面形状領域１ａや第５の横断面形状領域１ｅより１段下がって周溝としており、その外径はシャーシ９の貫通孔９ａの内径とほぼ等しい。防振部材１は第１の横断面形状領域１ａの外縁端側からシャーシ９の貫通孔９ａに圧入される。
【００４５】
防振部材１の貫通孔１ｈはＰＣに位置決めして取り付けるための孔としており、ＰＣ側のボスの形状に対応した形状としている。
【００４６】
防振部材１は圧入されるために弾性を有する材料で構成されるのが望ましい。特に適切な硬度と弾性のバランスが得られやすい天然ゴム、ブチルゴム、スチレンゴム、シリコンゴムなどのゴムが望ましい。ゴムは３方向の振動、衝撃を効果的に減衰させる。
【００４７】
以下、第１の横断面形状領域１ａの横断面形状について説明する。ある横断面形状において外郭を形成する線を外郭線１ｆ、内郭を形成する線を内郭線１ｇと呼ぶ。第２の横断面形状領域１ｂから第５の横断面形状領域１ｅまでの各横断面形状領域は、横断面中心軸２から横断面形状の外郭線１ｆの１点までの距離と横断面中心軸２から前記外郭線１ｆの他の１点までの距離が等しいとした。すなわちある横断面を見たときにこの外郭線１ｆは横断面中心軸２を中心とする円である。第１の横断面形状領域１ａから第５の横断面形状領域１ｅまでの各断面形状領域は、横断面中心軸２からの内郭線１ｇの１点までの距離と横断面中心軸２から前記内郭線１ｇの他の１点までの距離が等しいとした。すなわち前記外郭線１ｆの場合と同じ横断面を見たときにこの内郭線１ｇは横断面中心軸２を中心とする円である。したがって、第２の横断面形状領域１ｂから第５の横断面形状領域１ｅまでのどの横断面形状もすべて横断面中心軸２を中心とする円環である。第２の横断面形状領域１ｂから第５の横断面形状領域１ｅまでの各横断面形状領域において横断面中心軸２から外郭線１ｆ、内郭線１ｇまでの距離は設計要因、製造要因で必ずしも一定ではないので、前記の第２の横断面形状領域１ｂから第５の横断面形状領域１ｅまでの形状の説明において略円筒形状とした。
【００４８】
一方、第１の横断面形状領域１ａにおいて内郭線１ｇは前記の通り横断面中心軸２を中心とした円形状である。しかし、第１の横断面形状領域１ａにおいて横断面中心軸２から横断面形状の外郭線１ｆの１点までの距離と横断面中心軸２から前記外郭線１ｆの他の１点までの距離とが相違するとした。すなわち第１の横断面形状領域１ａにおいてある横断面の外郭線１ｆは横断面中心軸２を中心とした円ではないということである。図１において第１の横断面形状領域１ａの外郭線１ｆで表す横断面形状は横断面中心軸２を中心とした略角丸四角形である。また、横断面中心軸２から横断面形状の外郭線１ｆの１点までの距離は外縁から離れるとともに大きくなり極大値を持つようにした。すなわち、第１の横断面形状領域１ａの外縁の横断面形状が最も小さく、横断面中心軸２から外縁の横断面形状の外郭線１ｆの１点までの距離は、シャーシ９の貫通孔９ａの半径よりも小さいとした。シャーシ９に圧入される際シャーシ９の貫通孔９ａの周りが防振部材１の外縁部に当たって変形を起こさないように、初めから外郭線１ｆの部分に当たるようにしたためである。シャーシ９の貫通孔９ａの半径は横断面中心軸２から外郭線１ｆの１点までの距離が極大となる横断面形状における横断面中心軸２から横断面形状の外郭線１ｆの１点までの距離よりも小さい。すなわち防振部材１の材料が持つ弾性を利用し、防振部材１をシャーシ９に押し付ける力で防振部材１を収縮させてシャーシ９の貫通孔９ａを通過させ、その後防振部材１を収縮させる力が取り除かれて防振部材１の形状は元に戻る。と同時に、第２の横断面形状領域１ｂがシャーシ９の貫通孔９ａと嵌合する。その際、第１の横断面形状領域１ａの外郭線１ｆの形状が横断面中心軸２を中心とする円形状であれば、シャーシ９の貫通孔９ａの周辺には第１の横断面形状領域１ａの横断面中心軸２から横断面形状の外郭線１ｆの１点までの距離が極大となる横断面形状部分が貫通孔９ａを通過するまで防振部材１をシャーシ９に押し付ける力が均一に加わり続ける。したがってこのシャーシ９に加わる力は巨大となり、シャーシ９は変形しやすい。一方、本発明における横断面形状は円形状ではないために横断面中心軸２からの距離が小さい所から順番に変形してシャーシ９の貫通孔９ａを通過しようとする。したがって、防振部材１をシャーシ９に押し付ける力が大きくなくても、貫通孔９ａは第１の横断面形状領域１ａを通過することができる。すなわちシャーシ９にはシャーシ９を変形させようとする大きな力をかける必要はなくなるため、変形しにくくなる。
【００４９】
横断面中心軸２から横断面形状の外郭線１ｆまでの距離が第１の横断面形状領域１ａの外縁から離れるとともに大きくなる割合は一定とした。圧入する際に貫通孔９ａが滑らかに第１の横断面形状領域１ａを通過していきやすい。また第１の横断面形状領域１ａの横断面中心軸２から横断面形状の外郭線１ｆの１点までの距離が極大値をもつ断面形状と第２の横断面形状領域１ｂの間の横断面中心軸２から横断面形状の外郭線１ｆの１点までの距離は前記外縁から離れるとともに小さくなるようにした。本実施の形態１においてはさらにその小さくなる割合は外縁から離れるとともに大きくなるようにした。このようにすることで前記極大値を持つ断面形状の近傍は角張らないために防振部材１が破壊されにくい。また前記極大値を持つ断面形状を過ぎてからはシャーシ９にかかるシャーシ９を変形させようとする力は低減するのでシャーシ９は変形しにくくなる。さらに第２の横断面形状領域１ｂでシャーシ９と嵌合した際、この第２の横断面形状領域１ｂの近傍でシャーシ９が不要に動くのを防いでくれる。
【００５０】
次に第１の横断面形状領域１ａの横断面形状の変形例について説明する。図２は実施の形態１の防振部材の第１の横断面形状領域の横断面形状の線対称軸の本数による違いを示す図、図３は実施の形態１の第１の横断面形状領域の直線と円弧で構成された横断面形状の外郭線の例を示す図、図４は実施の形態１の第１の横断面形状領域の楕円弧で構成された横断面形状の外郭線の例を示す図、図５は実施の形態１の第１の横断面形状領域のその他の場合の横断面形状の外郭線の例を示す図である。何れの図も横断面中心軸２から横断面形状の外郭線の１点までの距離が極大値の場合の横断面形状である。
【００５１】
図２（ａ）は横断面形状が持つ線対称軸が１本の場合である。第１の横断面形状領域１ａの１箇所を直線状に切り欠いた形状である。外郭線１ｆは１本の直線と円弧で構成される。圧入の際、この切り欠いた部分からシャーシ９の貫通孔９ａを通過しようとするため、シャーシ９を変形しようとする力の最大値は小さくて済む。図２（ｂ）は横断面形状が持つ線対称軸が２本の場合である。第１の横断面形状領域１ａの対角の２箇所をほぼ同寸法で直線状に切り欠いた形状である。切り欠いた部分が２箇所あるので、シャーシ９の貫通孔９ａをより簡単に通過できる。図２（ｃ）は第１の横断面形状領域１ａの３箇所を切り欠いた形状である。見方を変えるとこれは角丸三角形ということもできる。図２（ｄ）は角丸四角形、図２（ｅ）は角丸五角形、図２（ｆ）は角丸六角形の場合である。角丸三角形、角丸四角形の場合は切り欠きの効果が大きく現れて防振部材１はシャーシ９の貫通孔９ａに容易に圧入できる。しかし、角丸五角形、角丸六角形と進むにつれて形状は元の円に近づく。そのため、角丸七角形以上では元の円に近づく効果が大きくなり切り欠く効果は小さい。
【００５２】
図３（ａ）は図２（ｂ）と同じで角丸四角形の丸部の円弧の半径が横断面中心軸２から外郭線１ｆの１点までの距離の最大と同じ場合である。図３（ｂ）は角丸四角形の丸部の円弧の半径を小さくした場合である。直線部と丸部は滑らかにつながっている。一方、図３（ａ）の方ががっしりしている分シャーシ９を嵌合した際には防振部材１がシャーシ９を押さえる効果は大きい。図３（ｃ）は図３（ｂ）よりさらに丸部の円弧の半径を小さくした場合である。横断面中心軸２から外郭線１ｆの１点までの距離が最小となる距離は図３（ｃ）の方が小さい。そのため図３（ｂ）よりも図３（ｃ）の方が容易に圧入しやすい。
【００５３】
図４（ａ）は第１の横断面形状領域１ａの横断面形状の外郭線１ｆが楕円弧で構成された場合である。長軸が横断面中心軸２から外郭線１ｆの１点までの距離の最大値となる。したがって、圧入の際、防振部材１は短軸方向から圧入されていく。図４（ｂ）は第１の横断面形状領域１ａの横断面形状の外郭線１ｆが円弧で構成されているものの、その中心が横断面中心軸２とはずれている場合である。圧入の際、防振部材１は横断面中心軸２から外郭線１ｆまでの距離が短い方から圧入されていく。
【００５４】
図５（ａ）は図２（ｂ）を変形させた構成で、２箇所の切り欠いた形状がお互いに対角の位置にあるものでもなく、また切り欠きの寸法も異なるものである。この場合、大きな寸法の切り欠きの方から圧入されていき、引き続いて小さな寸法の切り欠きの方に移行しやすい。そのため、シャーシ９を変形させようとする力は小さくて済む。図５（ｂ）に示すように切り欠いた形状がお互いに対角の位置にあるものではないが、切り欠きの寸法が同じ場合でも、図５（ｃ）に示すように切り欠いた形状がお互いに対角の位置にあるが、切り欠きの寸法が異なる場合でも構わない。また、図５（ｄ）は図３（ｂ）や図３（ｃ）の変形例で、図３（ｂ）や図３（ｃ）はいわば角丸正四角形というような形状であったが、角丸長方形の形状である。角丸ひし形としても良い。さらに図５（ｅ）は図５（ｄ）の丸部を円弧ではなく、楕円弧で構成したものである。またこの丸部を複数の円弧を組み合わせて構成しても構わない。
【００５５】
なお、本実施の形態１では圧入の際に相手側であるシャーシ９を変形させる大きな力がかからないような第１の横断面形状領域１ａの横断面形状とした。しかし、反対側の第３の横断面形状領域１ｃの側からも圧入する必要がある構成である場合、第３の横断面形状領域１ｃの横断面形状も第１の横断面形状領域１ａと同様の横断面形状としても構わない。
【００５６】
また、本実施の形態１では防振部材１の横断面形状領域は第１の横断面形状領域１ａから第５の横断面形状領域１ｅの５層の横断面形状領域の積み重ねとした。しかしそれに限るものではない。例えば光ピックアップモジュール３を圧入で嵌合、保持し、シャーシ９も設けない構成としても良い。その際は第１の横断面形状領域１ａから第３の横断面形状領域１ｃまでの３層構成となる。逆に例えば従来構成のように光ピックアップモジュール３をトレイとシャーシ９とで挟んで保持する構成としても構わない。その際には本実施の形態１の構成にさらに２層を加えて７層構成としても良い。
【００５７】
このように本実施の形態１の防振部材１は圧入する際にシャーシ９の変形を最小に抑制することができる。そのため、トレイを取り払った光ディスクの構成とすることができ、光ディスク装置を薄型化、小型化できる。
【００５８】
（実施の形態２）
実施の形態２について図を参照しながら説明する。図６は実施の形態２の光ディスク装置の分解構成図、図７は実施の形態２の光ディスク装置の組立構成図である。ベース４は光ピックアップモジュール３の骨組みになるもので、各部品、部材が直接、間接に取り付けられる。スピンドルモータ５は光ディスクを載置し、回転させるための駆動力を発生し、ベース４に固定される。光ピックアップ６は光ディスクに対して情報の記録または再生の少なくとも一方を行い、図示しない２本のガイドシャフトに移動自在に保持される。前記図示しない２本のガイドシャフトは図示しない支持部材を介してベース４に支持される。フィードモータ７は光ピックアップ６を移動するための駆動力を発生し、ベース４に固定される。フィードモータ７にはステッピングモータやＤＣモータが用いられる。フィードモータ７には表面にらせん状に溝が形成された図示しないスクリューシャフトが直接または数段のギアを介して接続される。また光ピックアップ６には図示しないラックが固定されている。このラックの歯がスクリューシャフトの溝と噛み合うことで、フィードモータ７の回転駆動力が直線駆動力に変換される。このように各部品、部材が取り付けられたベース４全体を覆うように保護カバー８が取り付けられる。保護カバー８は開口を有し、スピンドルモータ５、光ピックアップ６の一部が露出され、フィードモータ７が露出される場合もある。
【００５９】
シャーシ９は薄い金属板で形成される。シャーシ９は光ピックアップモジュール３の下面側を保護するとともに光ピックアップモジュール３を保持するものである。防振部材１は実施の形態１で説明をしたものである。
【００６０】
シャーシ９を光ピックアップモジュール３側を上にして治具ベースの上に置き、所定の１つの貫通孔９ａに防振部材１を第１の断面形状領域１ａを下にして置く。そして上から加圧治具で加圧し、防振部材１をシャーシ９に圧入する。光ピックアップモジュール３のベース４の側面側には平面視略Ｃ状の取付部４ａが設けられている。取付部４ａに圧入された以外の防振部材１の第４の横断面形状領域１ｄを嵌合して取り付ける。その際第１の断面形状領域１ａを下にする。さらに圧入された防振部材１の第４の横断面形状領域１ｄに残りの取付部４ａが嵌合するように防振部材１を取り付けた光ピックアップモジュール３を置く。その際防振部材１の第１の横断面形状領域１ａが下側になるようにしてシャーシ９の貫通孔９ａと合うようにセットする。上から加圧治具で加圧し、残りの防振部材１をシャーシ９に圧入する。シャーシ９の貫通孔９ａと第２の横断面形状領域１ｂとが嵌合する。防振部材１は実施の形態１の防振部材１であるため、圧入によるシャーシ９の変形量は非常に小さい。組み立てられた光ディスク装置１０はノートブック型ＰＣのボスと防振部材１の貫通孔１ｈとを嵌合させた上でネジでノートブック型ＰＣと固定される。
【００６１】
このような構成とすることにより、光ピックアップモジュール３はシャーシ９およびノートブック型ＰＣに対し防振部材１のみを介して固定される。したがって外部から加えられた振動や衝撃は防振部材１で減衰されたもののみが光ピックアップモジュール３に伝えられる。
【００６２】
このように本実施の形態２の光ディスク装置１０はトレイがなくとも光ピックアップモジュール３を防振部材１のみを介して外部と固定することができる。そのため光ディスク装置１０を薄型化、軽量化することができる。
【産業上の利用可能性】
【００６３】
以上のように本発明の防振部材は圧入した時にシャーシの変形がしにくい。そのためトレイを取り払った光ディスク装置の構成とすることができるため、薄型、軽量を狙いとする光ディスク装置に用いることができる。また、本発明の防振部材を備えた光ディスク装置は薄型化、軽量化が実現できるので、ノートブック型ＰＣに好んで用いられる。
【図面の簡単な説明】
【００６４】
【図１】実施の形態１の防振部材の形状の例を示す図
【図２】実施の形態１の防振部材の第１の横断面形状領域の横断面形状の線対称軸の本数による違いを示す図
【図３】実施の形態１の第１の横断面形状領域の直線と円弧で構成された横断面形状の外郭線の例を示す図
【図４】実施の形態１の第１の横断面形状領域の楕円弧で構成された横断面形状の外郭線の例を示す図
【図５】実施の形態１の第１の横断面形状領域のその他の場合の横断面形状の外郭線の例を示す図
【図６】実施の形態２の光ディスク装置の分解構成図
【図７】実施の形態２の光ディスク装置の組立構成図
【図８】従来の光ディスク装置の分解構成図
【符号の説明】
【００６５】
１    防振部材
１ａ    第１の横断面形状領域
１ｂ    第２の横断面形状領域
１ｃ    第３の横断面形状領域
１ｄ    第４の横断面形状領域
１ｅ    第５の横断面形状領域
１ｆ    外郭線
１ｇ    内郭線
１ｈ    貫通孔
２    横断面中心軸
３    光ピックアップモジュール
４    ベース
４ａ    取付部
５    スピンドルモータ
６    光ピックアップ
７    フィードモータ
８    保護カバー
９    シャーシ
９ａ    貫通孔
１０    光ディスク装置
【図１】
2006292032.tif 000003
【図２】
2006292032.tif 000004
【図３】
2006292032.tif 000005
【図４】
2006292032.tif 000006
【図５】
2006292032.tif 000007
【図６】
2006292032.tif 000008
【図７】
2006292032.tif 000009
【図８】
2006292032.tif 000010